(57)【要約】      （修正有）【課題】不均衡磁束で発生する軸電圧を、安全でかつ短時間に測定できる軸電圧測定用冶具を提供する。【解決手段】弓のこ型のフレーム２の両端部に線材５が張り渡されている。把持部９の上側には、デジタルテスター７を設置する取付金具をフレーム２に固定する。把持部９と線材５との間には、安全カバー６が設けられている。デジタルテスター７は、取付金具から着脱可能となっている。【選択図】図１
0003157280.tif 000002
【実用新案登録請求の範囲】
【請求項１】
両端部が対面するように湾曲した弓のこ型のフレームと、前記フレームの両端部に張り渡された導電性の線材と、前記フレームの一端部であって湾曲の外側に設けられた把持部とを有し、前記線材を電動機の回転軸に接触させて回転軸の電位を取得することを特徴とする軸電圧測定用冶具。
【請求項２】
請求項１の軸電圧測定用冶具において、前記把持部よりも上側となる位置に対して前記フレームに取付けられた取付金具を有し、前記取付金具に対してデジタルテスターを取外し自在としたことを特徴とする軸電圧測定用冶具。
【請求項３】
請求項１の軸電圧測定用冶具において、前記一端部と前記把持部との間の位置の前記フレームに、線材が切れた時に手を保護する安全カバーが取付けられていることを特徴とする軸電圧測定用冶具。
【考案の詳細な説明】
【技術分野】
【０００１】
本考案は、電動機運転中に回転軸と大地間の電圧測定を行う、軸電圧測定用冶具に関するものである。
【背景技術】
【０００２】
電動機運転中に、回転軸に磁束の不平衡などにより軸電圧が発生すると、軸受に電蝕を生させ寿命低下させる。この軸電圧を測定することにより、電喰対策の要否を判定し、対策が必要な場合は対策後の効果を判断するために軸電圧測定をしている。
【０００３】
また、回転軸の磁束不平衡での軸電圧発生以外でも、サイリスク制御の直流機ではサリスタによる高周波脈動電圧がサイリスタ電源部と大他聞との間、電機子巻線と軸受及び軸と対地静電容量に分圧され、軸と大他聞に軸電圧が発生するので軸電圧測定が必要である。
【０００４】
回転軸に発生する軸電圧を述べたものとして、非特許文献１や非特許文献２に示されるものが知られている。
【０００５】
また、軸電圧が発生する場合の電喰対策の手段として、例えば特許文献１に示されるように、回転軸に対してスプリングで支持したブラシを接触させてアースに落とすものが知られている。
【先行技術文献】
【特許文献】
【０００６】
【特許文献１】特開平９−３１２９５６号公報
【非特許文献】
【０００７】
【非特許文献１】「ＰＷＭインバータ駆動ブラシレスＤＣモータのコモンモード等価回路による軸電圧およびリング電流の計算」  鹿児島大学工学部研究報告  第４７号（２００５）
【非特許文献２】「メカトロニクスを支える技術特集  軸受電喰の可視化」  技報安川電機  ＶＯＬ．７２  Ｎ０．４メカトロニクスを支える技術特集  軸受電喰の可視化
【考案の概要】
【考案が解決しようとする課題】
【０００８】
軸電圧の測定を行う際にデジタル電圧計を用いるが、デジタル電圧計の測定端子棒（丸棒端子で径約φ２．５〜３，０長さ２０〜２５ｍｍ）を回転軸やカップリング、ホイールに直接接触させて測定すると、回転軸の凹凸やキー、キー溝、セットビス等ではじかれて危険である。
【０００９】
また、特許文献１のように電動機側にスプリングで支持されたブラシを測定試験のために設置して、これにデジタル電圧計の測定端子棒を接続するのでは、測定試験自体が簡易なものとならない。従って、本考案の目的は、回転軸の限られた接触部位に対して出来るだけ離れて、手持ちにより安全に測定出来る器具を提供することにある。
【課題を解決するための手段】
【００１０】
上記課題を解決するため本考案は、両端部が対面するように湾曲した弓のこ型のフレームと、前記フレームの両端部に張り渡された導電性の線材と、前記フレームの一端部であって湾曲の外側に設けられた把持部とを有し、前記線材を電動機の回転軸に接触させて回転軸の電位を取得することを特徴とする。
【考案の効果】
【００１１】
本実施例によれば、電動機の回転軸に対して、線状に張り渡された線材を当てるため、回転軸にキー溝等の凹凸があっても、跳ね飛ばし、巻き込みが起こりにくく、電動機の軸電圧を短時間に安全に測定することが出来るという効果を有する。このため、電気専門員でなくても軸電圧が測定可能となる。また、把持部と線材との間に安全カバーを設ければ、線材の切断時の安全化が図れる。
【図面の簡単な説明】
【００１２】
【図１】図１は軸電圧測定用冶具の全体図を示した図である。
【図２】図２は軸電圧測定用冶具の適用事例を示した図である。
【考案を実施するための形態】
【００１３】
本実施例による軸電圧測定用冶具１は、図１Ａに示すように、端部２ａ、２ｂが対面するように湾曲した弓のこ型のフレーム２の弧の両端間の内側に、線材固定金具３及び４を設けて、線材固定金具３及び４の間に掛け渡し状に導電性の線材５を張り渡している。フレーム２は、中空の導電体である。線材固定金具３及び４の間に線材５を張り渡された線材５の長さは、測定すべき回転軸の直径よりも十分に大きく設定されており、例えば３倍程度である。また、線材５の材質は、回転軸の硬度よりも低いものが望ましい。
【００１４】
線材固定金具３は、フレーム２の端部２ａに固定されている。一方、線材固定金具４においては、線材５が固定された反対側の端部はねじ山４ａを有するボルト形状をしており、フレーム２の端部２ｂを貫いて、ナット４ｂと螺合しており、ナット４ｂをフレーム２側に締め付けることにより、線材5の張力調整ができるようになっている。
【００１５】
フレーム２の端部２ａの線材固定金具３の反対側（フレーム２の湾曲の外側）には、把持部5が設けられており、把持部5の中央には作業者が指を差し込む開口部５ａと手のひらで握る握り部５ｂが設けられており、全体が絶縁材コーテングされている。また、フレーム２の端部２ａ側には、把持部９と線材固定金具３（或いは線材５）との間に、作業者の手で持たれる把持部９の全域を保護するために、フレーム２から線材５と交差する方向に起立した板状の安全カバー６が設けられている。この安全カバー６は、万が一、線材５が切れた時に手を保護するものである。把持部9の上側の位置には、デジタルテスター７が設けられており、取付金具７ａによりフレーム2に固定されている。デジタルテスター７は、自動レンジ切り替え機能を有するものが好ましい。
【００１６】
図１Ｂに示すように、デジタルテスター７は表示部７ｃを上向きとして、バンド７ｂで止められており、取付金具７ａより着脱自在である。把持部9よりも、作業者の顔に近い位置にデジタルテスター７が設けられるため、測定値が読み取り易くなっている。デジタルテスター７からは、アース線８が把持部５と安全カバー６との間を経由してアースクリップ８ａに接続されている。線材５による測定電位は、固定金具３、４、フレーム２、取付金具７ａを経由してデジタルテスター７に与えられ、デジタルテスター７はアース線８との電位差を表示部７ｃに表示する。
【００１７】
軸電圧の測定に当たっては、図２に示すように、まず、電動機１０の本体フレーム１３にアースクリップ８ａを接続する。そして、軸電圧測定用冶具１は、作業者により把持部９を把持されて、線材５を運転中の電動機１０の回転軸１１の上部から押し当てられる。この際、回転軸の回転方向は、固定金具３から固定金具４の方向イとなるように、線材５を押し当てる。このようにして、デジタルテスター７に表示された軸電位を読む。
【００１８】
本実施例によれば、手持ちの軸電圧測定用冶具１により軸電圧を簡略に測定できるという効果がある。線材５は、回転軸１１の直径よりも広い範囲に平坦な接触域を構成するため、回転軸１１にキー溝１２のような凹凸があったとしても、キー溝１２により線材５が跳ね飛ばされたり、或いは回転軸１１に巻き込まれたりすることが無い。また、フレーム２および線材固定金具４により調整された張力と、線材５自身が持つ長さ方向の弾性とにより、回転軸１１の凹凸による振動が緩和されて、把持部５に伝わるため、手持ちでありながら安全に作業ができるという効果である。
【００１９】
このように、電圧値判断で対策の要否を決定するによって、測定した電圧が低ければ対策をとる必要がないし、また、高電圧であれば早急に対策をとることにより電動機１０の軸受１４の延寿命化が図ることができる。
【符号の説明】
【００２０】
１  軸電圧測定用冶具
２  フレーム
３  線材固定金具
４  線材固定金具
５  線材
６  安全カバー
７  デジタルテスター
８    アース線
【図１】
0003157280.tif 000003
【図２】
0003157280.tif 000004